(57)【要約】【課題】後加工に実際に用いられる部品のサイズと、ジョブに定められた部品サイズが異なることに起因して、後加工が正常に行えなくなるのを防ぐことを目的とする。【解決手段】画像形成装置から、印刷に実際に利用した部品の部品サイズを受信する受信手段と、後加工において部品の部品サイズが参照される場合に、受信手段が受信した部品サイズが設定された、後加工ジョブのジョブチケットを後加工装置に送信する送信手段とを有する。【選択図】図１０
2019135591.tif 000002
【特許請求の範囲】
【請求項１】
画像形成装置から、印刷に実際に利用した部品の部品サイズを受信する受信手段と、
後加工において前記部品の部品サイズが参照される場合に、前記受信手段が受信した前記部品サイズが設定された、後加工ジョブのジョブチケットを後加工装置に送信する送信手段と
を有することを特徴とする情報処理装置。
【請求項２】
前記送信手段は、前記受信手段が前記部品サイズを受信していない場合には、前記ジョブチケットの送信を行わないように制御することを特徴とする請求項１に記載の情報処理装置。
【請求項３】
前記受信手段が前記部品サイズを受信していない場合に、前記後加工ジョブに対応付けて、保留状態を示す情報を記録する状態管理手段をさらに有し、
前記送信手段は、前記保留状態を示す情報が記録されている場合に、前記ジョブチケットの送信を行わないように制御することを特徴とする請求項２に記載の情報処理装置。
【請求項４】
前記状態管理手段は、前記受信手段が前記部品サイズを受信した場合に、前記保留状態を示す情報に替えて、送信が可能な状態を示す情報を記録し、
前記送信手段は、前記送信が可能な状態を示す情報が記録されている場合に、前記ジョブチケットの送信を行うことを特徴とする請求項３に記載の情報処理装置。
【請求項５】
前記送信手段は、前記後加工において複数の部品それぞれの部品サイズが参照される場合に、前記受信手段が受信した、前記複数の部品それぞれの部品サイズが設定された、前記ジョブチケットを送信することを特徴とする請求項１又は２に記載の情報処理装置。
【請求項６】
前記送信手段は、少なくとも１つの部品サイズが設定されていない場合には、前記ジョブチケットの送信を行わないように制御することを特徴とする請求項５に記載の情報処理装置。
【請求項７】
前記受信手段が複数の部品それぞれの部品サイズを受信していない場合に、前記後加工ジョブに対応付けて、保留を示す情報を記録する状態管理手段をさらに有し、
前記送信手段は、前記保留を示す情報が記録されている場合に、前記ジョブチケットの送信を行わないように制御することを特徴とする請求項５に記載の情報処理装置。
【請求項８】
前記状態管理手段は、前記受信手段が前記複数の部品それぞれの部品サイズを受信した場合に、前記保留状態を示す情報に替えて、送信が可能な状態を示す情報を記録し、
前記送信手段は、前記送信が可能な状態を示す情報が記録されている場合に、前記ジョブチケットの送信を行うことを特徴とする請求項７に記載の情報処理装置。
【請求項９】
情報処理装置が実行する情報処理方法であって、
画像形成装置から、印刷に実際に利用した部品の部品サイズを受信する受信ステップと、
後加工において前記部品の部品サイズが参照される場合に、前記受信ステップで受信した前記部品サイズが設定された、後加工ジョブのジョブチケットを後加工装置に送信する送信ステップと
を含むことを特徴とする情報処理方法。
【請求項１０】
コンピュータを、請求項１乃至８の何れか１項に記載の情報処理装置の各手段として機能させるためのプログラム。
【発明の詳細な説明】
【技術分野】
【０００１】
本発明は、情報処理装置、情報処理方法及びプログラムに関する。
【背景技術】
【０００２】
従来、商業印刷業界においては、画像形成装置と後処理装置を組み合わせることで様々な印刷物が製造されている。例えば、画像形成装置によって印刷処理が行われた印刷物に対して製本や断裁といった後加工を行うことで、書籍やカタログ、チラシ、チケット、名刺と多種多様な体裁の成果物を製造することができる。商業印刷向けのワークフローソフトでは予め決められた成果物のパターンに合わせ、成果物を作成するためのジョブを商材情報として事前に定義する。ワークフローソフトは、受注した成果物と商材情報を紐づけ、紐づけた商材情報に基づいてジョブを生成し、ジョブでデバイスを制御することで成果物の生産を行っている。しかしながら、事前に定義したジョブのパラメータと実際に生産する際のパラメータが一致しない場合がある。特許文献１では、印刷時に印刷ジョブの用紙情報と給紙ユニットにセットされ事前に記録された用紙情報を比較し、合致しない場合に警告を通知することを行っている。
【先行技術文献】
【特許文献】
【０００３】
【特許文献１】特開２０１２−１８１７７４号公報
【発明の概要】
【発明が解決しようとする課題】
【０００４】
しかしながら、商業印刷では使用する用紙は仕入れ先の用紙問屋によって異なったり、印刷現場で大きなサイズの原紙を断裁し用紙を調達したりすることに起因し、数ミリメートル単位でサイズが異なる場合がある。このような場合ではデジタルプリンタの給紙ユニットにセットされた用紙情報と印刷ジョブの用紙情報は合致するため印刷は行えるが、実際の用紙サイズと予め定義した後加工ジョブのパラメータが合致しなくなる。後加工ジョブのパラメータと実際の用紙サイズが合致しないと、後加工機の搬送ガイドでつまったり位置ずれの原因になったりするため、成果物を正常に生産できないという課題があった。
【０００５】
本発明はこのような問題点に鑑みなされたもので、後加工に実際に用いられる部品のサイズと、ジョブに定められた部品サイズが異なることに起因して、後加工が正常に行えなくなるのを防ぐことを目的とする。
【課題を解決するための手段】
【０００６】
そこで、本発明は、情報処理装置であって、画像形成装置から、印刷に実際に利用した部品の部品サイズを受信する受信手段と、後加工において前記部品の部品サイズが参照される場合に、前記受信手段が受信した前記部品サイズが設定された、後加工ジョブのジョブチケットを後加工装置に送信する送信手段とを有することを特徴とする。
【発明の効果】
【０００７】
本発明によれば、後加工に実際に用いられる部品のサイズと、ジョブに定められた部品サイズが異なることに起因して、後加工が正常に行えなくなるのを防ぐことができる。
【図面の簡単な説明】
【０００８】
【図１】印刷システムの全体図である。
【図２】情報処理装置のハードウェア構成図である。
【図３】情報処理装置の機能構成図である。
【図４】画像形成装置のハードウェア構成図である。
【図５】商材情報テーブルの一例を示す図である。
【図６】注文情報テーブルの一例を示す図である。
【図７】ジョブ情報テーブルの一例を示す図である。
【図８】更新後のジョブ情報テーブルの一例を示す図である。
【図９】注文登録処理を示すフローチャートである。
【図１０】制御処理を示すフローチャートである。
【図１１】後加工ジョブのジョブチケットの一例を示す図である。
【発明を実施するための形態】
【０００９】
以下、本発明の実施形態について図面に基づいて説明する。
図１は、実施形態に係る印刷システムの全体図である。印刷システムは、情報処理装置１００と、画像形成装置１１０と、後加工装置１２０と、を有している。情報処理装置１００と、画像形成装置１１０と、後加工装置と、は、ネットワーク１３０を介して接続している。なお、印刷システムが有する画像形成装置１１０及び後加工装置１２０の数は、実施形態に限定されるものではなく、画像形成装置１１０及び後加工装置１２０の数は、いずれの２以上であってもよい。
【００１０】
情報処理装置１００は、印刷物の製造を管理する。情報処理装置１００はまた、画像形成装置１１０及び後加工装置１２０を制御する。画像形成装置１１０は、情報処理装置１００などから送られてくる印字データを含む印刷データを解析し、１ページずつドットイメージに変換して印刷する。画像形成装置１１０は、単機能のプリンタでもよく複合機でもよい。画像形成装置１１０から出力された印刷物は、印刷オペレーターによるハンドキャリーで後加工装置１２０に渡されたり、図示しないベルトコンベアーを介して後加工装置１２０に渡されたりする。後加工装置１２０は、画像形成装置１１０と物理的には接続されていないが、画像形成装置１１０や情報処理装置１００とネットワーク１３０を介して通信を行うことができる。
【００１１】
図２は、情報処理装置１００のハードウェア構成図である。情報処理装置１００は一般的なコンピュータ（ＰＣ）のハードウェアで構成することができる。ＣＰＵ２００は、ＲＯＭ２０２内のプログラム用ＲＯＭに記憶されたプログラムや、ハードディスク等の外部メモリ２０９からＲＡＭ２０１にロードされたＯＳ（オペレーションシステム）やアプリケーションプログラム等のプログラムを実行する。ＲＡＭ２０１は、ＣＰＵ２００のメインメモリであり、ワークエリア等として機能する。なお、後述する情報処理装置１００の機能や処理は、ＣＰＵ２００がＲＯＭ２０２又は外部メモリ２０９に格納されているプログラムを読み出し、このプログラムを実行することにより実現されるものである。
【００１２】
キーボードコントローラ２０３は、キーボード２０７や図示しないバーコードリーダー、ポインティングデバイス（マウス、タッチパッド、タッチパネル、トラックボールなど）からの操作入力を制御する。ディスプレイコントローラ２０４は、ディスプレイ２０８の表示を制御する。ディスクコントローラ２０５は、各種データを記憶するハードディスク（ＨＤ）やフレキシブルディスク（ＦＤ）等の外部メモリ２０９へのデータアクセスを制御する。ネットワークコントローラ（ＮＣ）２０６はネットワークに接続されて、ネットワークに接続された他の機器との通信制御処理を実行する。
【００１３】
図３は、情報処理装置１００の機能構成図である。制御部３０５は、情報処理装置１００の各機能部３００〜３０６の実行制御を行う。商材記憶部３００は、図５に示す商材情報を記憶する。商材情報は、商材を識別する商材ＩＤと、成果物を生産する際に必要な工程や基準となるジョブパラメータ等とを対応付けた情報である。商材記憶部３００には、商材情報が成果物の生産前に予め登録されている。注文管理部３０１は、商材記憶部３００に登録された商材情報と、受信した注文の情報を紐づけることで注文情報とし、注文情報を注文記憶部３０２に格納し、管理する。注文情報は、注文情報を識別する注文ＩＤと、商材ＩＤと、印刷データのファイルパスとを対応付けた情報である。注文管理部３０１は、ＭＩＳなどの上位アプリやサーバーから受信した情報を解析し、解析結果を注文情報として注文記憶部３０２に記憶する。
【００１４】
ジョブ管理部３０３は、注文記憶部３０２に記憶された注文情報に含まれる商材ＩＤを参照し、商材記憶部３００に記憶された商材情報を取得する。ジョブ管理部３０３は、取得した商材情報をもとに成果物の生産に必要なジョブを作成し、ジョブ記憶部３０４に登録し、管理する。ジョブ管理部３０３は、登録されたジョブの情報を参照し、デバイス通信部３０６を介して画像形成装置１１０及び後処理装置１０５にジョブチケットを送信するよう制御する。デバイス通信部３０６は、外部装置との通信を制御する。
【００１５】
図４は、画像形成装置１１０のハードウェア構成図である。画像形成装置１１０は、ＣＰＵ４０１と、ＲＯＭ４０２と、ＲＡＭ４０３と、ＨＤＤ４０４と、タッチパネル４０５と、ＮＣ４０６と、読取部４０７と、印刷部４０８と、を有している。ＣＰＵ４０１は、ＲＯＭ４０２に記憶された制御プログラムを読み出して各種処理を実行する。ＣＰＵ４０１は例えば、画像形成装置１１０の全体の制御や、画像処理等を行う。ＣＰＵ４０１はまた、後述する印刷部４０８による印刷時に、用紙サイズ情報をセンサ等で取得し、これを後述のＮＣ４０６を介して情報処理装置１００に送信する。ＣＰＵ４０１は、ミリメートル単位で用紙サイズを取得、送信するものとする。ＲＡＭ４０３は、ＣＰＵ４０１のメインメモリであり、ワークエリア等として機能する。ＨＤＤ４０４は、各種データや各種プログラム等を記憶する。なお、後述する画像形成装置１１０の機能や処理は、ＣＰＵ４０１がＲＯＭ４０２又はＨＤＤ４０４に格納されているプログラムを読み出し、このプログラムを実行することにより実現されるものである。
【００１６】
タッチパネル４０５は、ユーザ操作を受け付け、また各種情報を表示する。ＮＣ４０６は、ネットワークを介して他の機器との通信制御処理を行う。読取部４０７は、例えばスキャナーによって構成され、紙文書等を読取ることにより画像データ形式の文書画像を取得することができる。ＣＰＵ４０１は、ＨＤＤ４０４等に記憶された文書画像をタッチパネル４０５提供し、タッチパネル４０５に文書画像を出力する処理を実行する。また、ＣＰＵ４０１は記憶部４１２に記憶された文章画像を、印刷部４０８に提供する。印刷部４０８は、種々の形式で文書画像を出力する処理を実行する。例えば、印刷部４０８は、文書画像に係る画像データを、記憶媒体に出力する処理を実行することができる。また他の例としては、印刷部４０８は印刷機能を備え、紙媒体等の出力媒体に文書画像を出力する処理を実行してもよい。
【００１７】
図５は、商材記憶部３００に記憶されている商材情報テーブル５００の一例を示す図である。商材情報テーブル５００には複数の商材情報（レコード）が記憶されている。各商材情報（レコード）は、商材ＩＤと、工程と、部品と、デフォルトパラメータと、を対応付けた情報である。商材ＩＤは、成果物のパターン毎に固有に定められているＩＤである。工程は、成果物の生産に必要な工程を示す情報である、なお、ジョブ管理部３０３は、この工程の単位でジョブを生成する。部品は、対応する工程に関連した部品に関する情報である。例えば、本文の印刷工程では本文が、製本工程では本文と表紙が部品として格納される。デフォルトパラメータは、ジョブ管理部３０３が、対応する工程に係るジョブを生成する際に使用するデフォルトのジョブパラメータである。例えば、本文の印刷工程に対しては、本文の印刷に用いられる用紙の用紙サイズ情報や両面・片面設定等がデフォルトパラメータとして対応付けられている。ここで、用紙は、部品の一例であり、用紙サイズ及び用紙サイズ情報は、それぞれ部品サイズ及び部品サイズ情報の一例である。また、製本工程に対しては、本文の用紙サイズ、表紙の用紙サイズ、ミーリング幅等がデフォルトパラメータとして対応付けられている。
【００１８】
図６は、注文記憶部３０２に記憶される注文情報テーブル６００の一例を示す図である。注文情報テーブル６００には、複数の注文情報（レコード）が記憶されている。各注文情報（レコード）は、注文ＩＤと、商材ＩＤと、ファイルパスと、を対応付けた情報である。注文ＩＤは、注文を識別するための情報で、注文ごとに固有に定められるＩＤである。商材ＩＤは、商材情報を識別する情報であり、商材ＩＤにより注文情報と図５に示す商材情報とを紐付けることができる。注文情報に含まれる商材ＩＤを検索キーとして商材情報を探すことで、成果物を得るための商材情報を特定することができる。ファイルパスは、成果物を印刷する際に使用される印刷データ（ＰＤＦファイル）のパスを部品毎に示す情報である。なお、図６においては、ファイルパスとして、ＰＤＦファイルのパスを示したが、その他の形式の印刷データであってもよい。
【００１９】
図７は、ジョブ記憶部３０４に記憶されるジョブ情報テーブル７００の一例を示す図である。ジョブ情報テーブル７００には、複数のジョブ情報（レコード）が記憶されている。各ジョブ情報は、ジョブＩＤと、ジョブパラメータと、更新と、保留と、を対応付けた情報である。ジョブＩＤは、ジョブ管理部３０３が作成したジョブを識別する情報で、ジョブ毎に固有に定められたＩＤである。ジョブパラメータは、成果物の生産に実際に使用されるジョブのパラメータを示す情報である。ジョブパラメータは、商材情報のデフォルトパラメータに基づいて生成され、画像形成装置１１０から受信した用紙サイズ情報に基づいて必要に応じて更新される。
【００２０】
更新要否は、ジョブに用いられる部品の部品サイズの更新の要否及び、更新が必要な部品を示す情報である。例えば本文の用紙サイズが必要な場合には、更新要否には、「本文（Ｂｏｄｙ）」が記録され、本文の取得が完了すると、更新要否の欄から本文が削除される。
【００２１】
保留状態は、ジョブの送信制御状態を示す情報である。例えば、本文印刷が終わった成果物では、製本ジョブは表紙の用紙サイズ更新を待つため保留状態（Ｔｒｕｅ）となるが、断裁ジョブは用紙サイズの更新が必要な部品ですでに更新されているため保留状態が解除され、送信可能な状態（Ｆａｌｓｅ）となる。なお、本実施形態の画像形成装置１１０は、保留状態に応じて送信制御を行うが、他の例としては、用紙サイズ情報を取得するまで後加工ジョブを生成しないことで送信制御を行ってもよい。
【００２２】
図８は、画像形成装置１１０から取得した用紙サイズに応じて、ジョブパラメータが更新された後のジョブ情報テーブル７００を示す図である。図８に示すジョブ情報テーブル７００は、図７に示すジョブ情報テーブル７００に対応する。ｐｈｏｔｏＢｏｏｋ  Ａの本文印刷を実行し本文の用紙サイズを取得したとする。これに対応し、ＰｈｏｔｏＢｏｏｋ  Ａの製本ジョブのジョブ情報であるジョブ情報８０１，８０２において、ジョブパラメータの値が、受信した用紙サイズに更新されている。さらに、ジョブ情報８０１，８０２の更新（更新が必要な部品）から本文（Ｂｏｄｙ）が削除されている。さらにジョブ情報８０２においては、更新が必要な部品がなくなったことに伴い、保留状態が解除され送信可能な状態に変更されている。
【００２３】
図９は、情報処理装置１００による注文登録処理を示すフローチャートである。注文登録処理は、注文を受け付けた場合に実行される処理である。Ｓ９００において、注文管理部３０１は、受け付けた注文の情報を１行１行解析し、商材ＩＤを介して商材記憶部３００に記憶された商材情報と紐づけた上で、解析結果である注文情報を注文記憶部３０２に格納する。次にＳ９０１において、ジョブ管理部３０３は、注文記憶部３０２に記憶された注文情報を読み取り、商材ＩＤをもとに商材情報を参照して、ジョブ情報を作成する。ジョブ管理部３０３は、作成したジョブ情報をジョブ記憶部３０４に格納する。ジョブ管理部３０３は、さらにジョブ情報に基づいて、印刷ジョブのジョブチケットを生成し、また、後加工ジョブのジョブチケットを生成する。
【００２４】
次に、Ｓ９０２において、ジョブ管理部３０３は、Ｓ９０１において作成したジョブ情報を解析し、後加工ジョブが部品の用紙サイズ情報を必要とするか否かを判定する。ジョブ管理部３０３は、具体的には、ジョブ情報の更新要否に不要（ＮＯｔ  Ｎｅｅｄｅｄ）が格納されている場合に、用紙サイズ情報を必要としないと判定する。ジョブ管理部３０３は、用紙サイズ情報を必要とする場合には（Ｓ９０２でＹＥＳ）、処理をＳ９０３へ進める。ジョブ管理部３０３は、用紙サイズ情報を必要としない場合には（Ｓ９０２でＮＯ）、注文登録処理を終了する。Ｓ９０３において、ジョブ管理部３０３は、ジョブ情報の保留状態を保留状態Ｔｒｕｅ）に変更し、用紙サイズを必要とする後加工ジョブの送信を行わないよう制御する。このように、保留状態であるジョブは、デバイスへのジョブチケットの送信が制限される。本処理は、保留状態を示す情報を記録する状態管理処理の一例である。
【００２５】
図１０は、画像形成装置１１０による印刷と、続く後加工装置１２０による後加工とに係る制御処理を示すフローチャートである。制御処理は、情報処理装置１００により実行される。Ｓ１０００において、ジョブ管理部３０３は、デバイス通信部３０６を介して、画像形成装置１１０に印刷ジョブのジョブチケットを送信する。ジョブチケットを受信した画像形成装置１１０は、受信したジョブチケットに基づいて印刷を実行する。画像形成装置１１０は、印刷ジョブの実行中、ＣＰＵ４０１がセンサから取得した用紙サイズ情報をＮＣ４０６経由で情報処理装置１００に送信する。続く、Ｓ１００１において、情報処理装置１００のジョブ管理部３０３は、デバイス通信部３０６を介して用紙サイズを受信する。
【００２６】
次に、Ｓ１００２において、ジョブ管理部３０３は、Ｓ１００１において受信した用紙サイズに紐付いている部品（用紙）を特定し、特定した部品に関連した後加工ジョブが存在するか否かを判定する。ジョブ管理部３０３は、図７に示すジョブＩＤの前半部分にあたるＯｒｄｅｒＩＤが等しいジョブを関連したジョブと判定する。ジョブ管理部３０３は、部品に関連した後加工ジョブが存在する場合には（Ｓ１００２でＹＥＳ）、処理をＳ１００３へ進める。ジョブ管理部３０３は、部品の関連した後加工ジョブが存在しない場合には（Ｓ１００２でＮＯ）、処理をＳ１００６へ進める。
【００２７】
Ｓ１００３において、ジョブ管理部３０３は、Ｓ１００２において特定した後加工ジョブのジョブ情報を更新する。具体的には、ジョブ情報のジョブパラメータに含まれる用紙サイズ情報を、Ｓ１００１において受信した用紙サイズ情報に更新する。なお、更新対象となるのは、Ｓ１００１において受信いた用紙サイズ情報と同じ部品についての用紙サイズ情報である。ジョブ管理部３０３は、さらに用紙サイズ情報の更新に係る部品を、ジョブ情報の更新要否から削除する。なお、Ｓ１００３の処理は、受信した部品サイズを後加工ジョブで参照する部品サイズとして設定する設定処理の一例である。本実施形態においては、Ｓ１００３において、後加工ジョブのジョブ情報を更新しているが、他の例としては、用紙サイズ情報を格納するのみとし、後加工ジョブのジョブ情報は生成しなくともよい。
【００２８】
次に、Ｓ１００４において、ジョブ管理部３０３は、Ｓ１００２において特定した後加工ジョブのジョブ情報に含まれる、更新が必要なすべての部品サイズが更新された否かを判定する。特定した後加工ジョブのジョブ情報（レコード）の更新要否がＮＯｔ  Ｎｅｅｄｅｄになった場合に、すべて更新されたと判定する。ジョブ管理部３０３は、すべて更新された場合には（Ｓ１００４でＹＥＳ）、処理をＳ１００５へ進める。ジョブ管理部３０３は、更新されていない用紙サイズ情報が残っている場合には（Ｓ１００４でＮＯ）、処理をＳ１００６へ進める。
【００２９】
Ｓ１００５において、ジョブ管理部３０３が、後加工ジョブのレコードの保留状態を送信可能な状態（Ｆａｌｓｅ）に変更する。なお、ジョブ管理部３０３は、Ｓ１００３におけるジョブ情報の更新時、及びＳ１００５におけるジョブ情報の更新時には、更新に従い、後加工ジョブのジョブチケットも更新する。具体的には、後加工ジョブに含まれる用紙サイズ情報を、Ｓ１００１において受信した用紙サイズ情報に更新する。
【００３０】
Ｓ１００６では、ジョブ管理部３０３は、Ｓ１０００において送信したジョブチケットに係る印刷ジョブと同一の成果物に対応した後加工ジョブが保留状態か否かを判定する。ジョブ管理部３０３は、ジョブ記憶部３０４に格納されているジョブ情報の中から、Ｓ１０００にて送信したジョブチケットのジョブＩＤの前半部分にあたるＯｒｄｅｒＩＤが等しいジョブを同一成果物に含まれるジョブと判定する。ジョブ管理部３０３は、同一成果物に対応した後加工ジョブのジョブ情報の保留状態が「Ｆａｌｓｅ」の場合に、保留状態でないと判定する。ジョブ管理部３０３は、後加工ジョブが保留状態の場合には（Ｓ１００６でＹＥＳ）、制御処理を終了する。ジョブ管理部３０３は、後加工ジョブが保留状態でない場合には（Ｓ１００６でＮＯ）、処理をＳ１００７へ進める。
【００３１】
Ｓ１００７において、デバイス通信部３０６は、後加工ジョブのジョブチケットを後加工装置１２０に送信する。以上で制御処理が終了する。この場合、後加工装置１２０は、後加工ジョブのジョブチケットを受信した後加工装置１２０は、ジョブチケットに従い、後加工を行う。なお、Ｓ１００７において、デバイス通信部３０６は、保留状態が解除されると直ちにジョブチケットを送信してもよく、また他の例としては、ユーザ操作を受け付けた後でジョブチケットを送信してもよい。
【００３２】
図１１は、ジョブ情報に基づいて生成され、後加工装置１２０に送信される後加工ジョブのジョブチケットの一例を示す図である。本実施形態においては、後加工ジョブのジョブチケットは、図９に示すＳ９０１にてジョブ作成時に生成され、図１０に示すＳ１００３にてジョブ情報とともに更新される。他の例としては、ジョブ管理部３０３は、Ｓ９０１にてジョブチケットを生成せず、Ｓ１００５にてジョブの保留状態を解除した後や、Ｓ１００６にてジョブチケットを送信する前に、ジョブチケットを生成してもよい。
【００３３】
ジョブチケットにおいて、１１０１及び１１０２には、本文の用紙サイズが格納されている。また、１１０３には、表紙の用紙サイズが格納されている。１１０１、１１０２、１１０３に格納される用紙サイズに関するパラメータには、Ｓ１００３においてジョブ管理部３０３が取得した用紙サイズ情報が反映される。１１０１、１１０２、１１０３の用紙サイズに関するパラメータを更新することで、後加工装置１２０は、後加工に実際に用いられる用紙の用紙サイズに合わせた制御を行うことができる。
【００３４】
以上のように、本実施形態の印刷システムにおいては、情報処理装置１００は、画像形成装置１１０が実際に印刷に用いた用紙の用紙サイズを用いて、後加工ジョブのジョブチケットを生成する。すなわち、後加工に実際に用いられる部品のサイズと、ジョブに定められた部品サイズが異なることに起因して、後加工が正常に行えなくなるのを防ぐことができる。
【００３５】
本実施形態の第１の変形例について説明する。実施形態においては、情報処理装置１００は、画像形成装置１１０が印刷に利用した部品の一例としての用紙に係る用紙サイズ情報を後加工ジョブのジョブチケットに設定する場合を例に説明した。ただし、対象となる部品は印刷や後加工で用いられる部品であればよく、用紙に限定されるものではない。
【００３６】
第２の変形例としては、画像形成装置１１０において実際に使用された部品（用紙）のサイズ（以下、使用サイズと称する）をジョブチケットに設定する場合には、この使用サイズに対応した商材情報は、デフォルトパラメータを含まなくともよい。ただし、この場合には、商材情報には、商材ＩＤに対応付けて、使用サイズが必要な部品の種類を示す情報が含まれるものとする。そして、ジョブ情報の「更新」の情報は、パラメータが必要な部品の種類を示す情報に応じて処理されればよい。
【００３７】
また、第３の変形例としては、使用サイズに対応したジョブ情報は、画像形成装置１１０から使用サイズを受信するまではジョブパラメータを含まず、使用サイズを受信した後で、使用サイズをジョブパラメータとして含むこととしてもよい。
【００３８】
以上、本発明の好ましい実施形態について詳述したが、本発明は係る特定の実施形態に限定されるものではなく、特許請求の範囲に記載された本発明の要旨の範囲内において、種々の変形・変更が可能である。
【００３９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
１００  情報処理装置
１１０  画像形成装置
１２０  後加工装置
【図１】
2019135591.tif 000003
【図２】
2019135591.tif 000004
【図３】
2019135591.tif 000005
【図４】
2019135591.tif 000006
【図５】
2019135591.tif 000007
【図６】
2019135591.tif 000008
【図７】
2019135591.tif 000009
【図８】
2019135591.tif 000010
【図９】
2019135591.tif 000011
【図１０】
2019135591.tif 000012
【図１１】
2019135591.tif 000013